(57)【要約】      （修正有）【課題】所望する小物を鞄やバッグから瞬時に取り出すことができる小物入れを提供する。【解決手段】開閉自在なクリップ３の一方の脚片３１をぬいぐるみ２に固着もしくは、着脱ができ、クリップ３の他方の脚片３２を小物入れ本体１に固着もしくは、着脱ができるようにして、小物入れ本体１とぬいぐるみ２とを取り付け可能とした。【選択図】図２
0003165512.tif 000002
【実用新案登録請求の範囲】
【請求項１】
小物入れ本体１、ぬいぐるみ２、及び、クリップ３を備え、クリップ３の一方の脚片３１をぬいぐるみ本体２に固着し、クリップの他方の脚片３２を小物入れ本体１に固着して、この小物入れ１とぬいぐるみ本体２によるクリップで挟んで、鞄やバッグに装着できることを特徴とする小物入れ。
【請求項２】
小物入れ本体１、ぬいぐるみ２、及び、クリップ３を備え、クリップ３の一方の脚片３１をぬいぐるみ本体２に面ファスナーで着脱可能に装着し、クリップの他方の脚片３２を小物入れ本体１に面ファスナーで着脱可能に装着して、ぬいぐるみ本体２や、小物入れ本体１を他の種類のぬいぐるみ本体２や小物入れ本体１に入れ替えられるようにし、この小物入れ本体１とぬいぐるみ本体２によるクリップで挟んで鞄やバックに装着できることを特徴とする小物入れ。
【考案の詳細な説明】
【技術分野】
【０００１】  本発明は、鞄やバック内に収納する小物入れに関する。
【背景技術】
【０００２】  携帯電話、財布、小銭入れ、定期入れ、名刺入れ、手帳等の小物を鞄やバック内に収納した場合一般的には多数の小物が混在しているため所望する小物を鞄やバックから瞬時に取り出すことができないという問題点を有していた。【０００３】  そこで、このような問題点を解消するために、特許文献１のようにバッグ本体と、前記バッグ本体内に収容される各種形態の小物入れ部材との組合せによってバッグ内に収容すべき各種形態の小物入れ部材をバッグ内に整然と整理した状態で収容できるようにしたバッグ組合せ構造体が知られている。【０００４】  また、特許文献２のようにバッグ本体内面の前後一方から左右一対の柔軟な連結材を延長し、バッグ本体の内部を前後に区画する硬質な間仕切りの左右端部を、一対の連結材に取り付けて被収容物を整理して収容することができ、しかも、間仕切りの移動が迅速に行えるバッグが知られている。
【先行技術文献】
【特許文献】
【０００５】
【特許文献１】実用新案登録第３０８０１２４号公報
【特許文献２】特開２００２−２３８６４２号公報
【考案の概要】
【考案が解決しようとする課題】
【０００６】しかしながら特許文献１および特許文献２記載のバッグ内の整理にはそれぞれ小物入れ部材や間仕切りが必要であり、所望する小物を鞄やバッグから瞬時に取り出すには制約があるという不都合がある。
【課題を解決するための手段】
【０００７】小物入れ本体１、ぬいぐるみ２、及びクリップ３を備え、クリップ３の一方の脚片３１をぬいぐるみ本体２に固着し、クリップの他方の脚片３２を小物入れ本体１に固着して、この小物入れ１とぬいぐるみ本体２によるクリップで挟んで鞄やバックに装着できることを特徴とする小物入れ。【０００８】小物入れ本体１、ぬいぐるみ２、及び、クリップ３を備え、クリップ３の一方の脚片３１をぬいぐるみ本体２に面ファスナーで着脱可能に装着し、クリップの他方の脚片３２を小物入れ本体１に面ファスナーで着脱可能に装着して、ぬいぐるみ本体２や小物入れ本体１を他の種類のぬいぐるみ本体２や小物入れ本体１に入れ替えられるようにし、この小物入れ本体１とぬいぐるみ本体２によるクリップで挟んで鞄やバックに装着できることを特徴とする小物入れ。
【考案の効果】
【０００９】  本考案小物入れは、所望する小物を鞄やバッグから瞬時に取り出すことができる。【００１０】  好みのぬいぐるみや袋を簡単に取り付けることができる。
【図面の簡単な説明】
【００１１】
【図１】本考案の小物入れの実施例１の構成（側面図）である。
【図２】本考案の小物入れの実施例２の構成（側面図）である。
【図３】本考案の小物入れを示す底面図である。
【図４】本考案の小物入れをカバンに取り付けた状態を示す斜視図である。
【考案を実施するための形態】
【００１２】  以下、本考案小物入れの２つの実施例について説明する。
【００１３】  本考案の小物入れは、小物入れ本体１、ぬいぐるみ２、及び、クリップ３からなる。
小物入れ本体１は、布等の軟質材料からなる収容袋を備え、その上部にはバンド４が設けられており、このバンド４にて前記小物入れ本体１内に収容する例えば携帯電話（図示せず）等が外に飛び出さないように保持している。
【００１４】  ぬいぐるみ２は立体もしくは平面体の形状をしているが、そのデザインは適宜選択すればよい。
【実施例１】
【００１５】  図１は第１の実施例を示す。
クリップ３は下方に伸びるクリップ脚片３１とクリップ脚片３２とが軸を介してそれぞれ摘み片３１Ａと摘み片３２Ａとで開閉可能となっている。前記クリップ３の一方のクリップ脚片３１にはぬいぐるみ２が縫い付けられて固着されている。また、前記クリップ３の他方のクリップ脚片３２には小物入れ本体１が縫い付けられて固着されている。このように、小物入れ本体１とぬいぐるみ２とは前記クリップ３が開閉し、小物入れ本体背面１１とぬいぐるみ背面２１が接離し、鞄やバックなどに挟んで容易に取り付けられる構成とする。
【実施例２】
【００１６】  図２は第２の実施例を示す。クリップ３は下方に伸びるクリップ脚片３１とクリップ脚片３２とが軸を介してそれぞれ摘み片３１Ａと摘み片３２Ａとで開閉可能となっている。前記クリップ３の一方のクリップ脚片３１と、ぬいぐるみ２には面ファスナーを備え、クリップ脚片３１と、ぬいぐるみ２が着脱できるように装着されている。また、前記クリップ３の他方のクリップ脚片３２と小物入れ本体１には面ファスナーを備え、クリップ脚片３２と小物入れ本体１が着脱できるように装着されている
これにより、ぬいぐるみ２や、小物入れ本体１を容易に他の種類にぬいぐるみ２や小物入れ本体１に交換可能としている。小物入れ本体１とぬいぐるみ２とは前記クリップ３が開閉し、小物入れ本体背面１１とぬいぐるみ背面２１が接離し、鞄やバックなどに挟んで容易に取り付けられる構成とする。【００１７】  図３は本考案の小物入れを、下から見た底面図である。
図４は上記構成の小物入れをカバンやバッグなどに取り付けた状態を示し、小物入れ本体１がバッグＡ内でぬいぐるみ２がバッグＡ外となるようにバッグＡの縁にクリップ３で挟むことにより、小物入れ本体１がバッグＡに収容しているので、所望する小物を瞬時に取り出すことができるという実用性に優れたものである。また、ぬいぐるみ２がバッグＡの外にあり、デザイン性のよい小物入れを提供できる。
【産業上の利用可能性】
【００１８】  デザイン性がよく、鞄やバックに容易に取り外し可能な小物入れを提供する。
【符号の説明】
【００１９】１  小物入れ本体
１１  小物入れ本体背面
２  ぬいぐるみ
２１  ぬいぐるみ背面
３  クリップ
３１  クリップ脚片
３２  クリップ脚片
３１Ａ  摘み片
３２Ａ  摘み片
４  バンド
【図１】
0003165512.tif 000003
【図２】
0003165512.tif 000004
【図３】
0003165512.tif 000005
【図４】
0003165512.tif 000006